(57)【要約】【課題】粘性ペーストを細孔針から吐出した後、細孔針先端からの粘性ペーストの滲み出しのない歯科用シリンジを提供する。【解決手段】外筒１とプランジャー２、プランジャー２の先端部２１に装着して外筒１の内壁面１１に密着させつつ摺動させるガスケット３とを有するシリンジ１０において、ガスケット３の前面のシリンジ内容物と接する面に半球状の窪み３１を設けさらに該プランジャー２と該ガスケット３の間にその半球状の窪みの深さ以上の間隙Ａを設け、これによって、プランジャー２の押圧によってペーストを所定量を押し出したのち、ガスケットの前面の窪み３１を元の位置を戻すことによる自己吸引能を持たせる。【選択図】　　図１
2004024768.tif 000002
【特許請求の範囲】
【請求項１】
充填用ペーストを収納する容器の外筒と、この外筒１の一方の開口に設けられ、押圧力によって外筒の内壁に沿って摺動する基部に押圧フランジと先端にガスケットとの取り付け部を有するプランジャーと、このプランジャーの先端部に取り付けられ、プランジャーの押圧力を受けて外筒の内壁面に密着して摺動するガスケットとを有する歯科用シリンジであって、
前記プランジャーの押圧によってペーストの所定量を押し出したのちのガスケットに自己吸引機能を持たせ、先端針からのペーストの滲み出しを防止する歯科用シリンジ。
【請求項２】
自己吸引のための機構が、ガスケットの前面のペーストと接する面に弾性を有する窪みを形成し、プランジャーの押圧によってペーストを押し出す際には、この窪みが突出あるいは平面状に変形し、ペーストの所定量を押し出したのちには、押し出し前の窪みを回復するようにした請求項１に記載の歯科用シリンジ。
【発明の詳細な説明】
【０００１】
【発明の属する技術分野】
本発明は、歯科において粘性ペーストを患部に注入するシリンジに関する。
【０００２】
【従来の技術】
粘性ペーストを患部に注入する歯科用のシリンジは、例えば、特開平０５−１３１０２９号公報、特開平１０−５６６４９号公報、特開２０００−１０７２９０号公報、特開２００１−１４５６９７号公報、特開２００２−１７８５２号公報に示されているように、プラスチック製の外筒と、この外筒にきっちりと嵌まるガスケットを装着したプランジャーを有しており、外筒に粘性ペーストを充填し、シリンジ先端に外径およそ０．７ｍｍ以下の有孔針を取り付け、プランジャーを押してガスケットを移動させることによって、充填剤の必要量だけ有孔針から患部に注入し、その注入の度毎に有孔針を取り替えて使用する。
【０００３】
【発明が解決しようとする課題】
ところが、注入を終了したのちでも、粘性ペーストが有孔針から少しずつ滲み出し、これが、垂れ落ちて医師の白衣を汚してしまうという問題が生じる。
【０００４】
この発明が解決しようとする課題は、係る歯科用シリンジにおいて、粘性ペーストを患部に注入した後、残留したペーストが有孔針から滲み出すのを防止することにある。
【０００５】
【課題を解決するための手段】
前記構造を有する歯科用シリンジにおいては、所定量の粘性ペーストを押し出した後、ペーストの有孔針からの滲み出しのメカニズムを調べた結果、以下の知見を得た。ペーストを充填したシリンジにおいて、脱気不十分な状況で充填されたペーストは押し出した後、ペースト内気泡の残圧により少しずつ滲み出る事象がある。すなわち、プランジャーの押圧によるガスケットの移動によって所定量のペーストが放出され、患部への注入が終了した後、プランジャーの押圧が停止すると、ガスケットも停止する。これによって、ペーストに加わる圧力は急激に低下するが、それに遅れて気泡の圧力が下がり始める。気泡の圧力が下がるということは、気泡の容積が増えることになりガスケットの位置が固定された状態では、その外筒の内圧が平衡状態になるまでの間、気泡による粘性ペーストの内圧が増大し、ペーストが有孔針から少しずつ滲み出てくることになる。
【０００６】
この発明は、この滲み出しの原因であるプランジャーの押圧の停止による外筒の内圧が平衡状態になるまでの間の気泡による粘性ペーストの内圧の増大を、ガスケット自体に増大した内圧を自己吸引できる機能を持たせることによって低減でき、ペーストの有孔針からの滲み出しが防止できるという着想の下で完成した。
【０００７】
前記増大した内圧を自己吸引できる機能を果たす機構としては、例えば、ガスケットの前面のペーストと接する面に弾性を有する窪みを形成し、プランジャーの押圧によってペーストを押し出す際には、この窪みが突出あるいは平面状に変形し、ペーストの所定量を押し出したのちには、押し出し前の窪みを回復する復元力を持たせたものである。
【０００８】
【発明の実施の形態】
以下に本発明の実施の形態を実施例によって説明する。
【０００９】
図１は、この発明のシリンジ１０の断面構造を示す。同図に示すように、シリンジ１０は充填用ペーストの収納する容器の外筒１と、この外筒１の一方の開口に設けられ、押圧力によって外筒１の内壁に沿って摺動する基部に押圧フランジ２１とその先端にガスケットを取り付ける先端部２２を有するプランジャー２と、プランジャー２の先端の先端部２２に装着され、プランジャー２の押圧力を受けて外筒１の内壁面１１に密着して摺動するガスケット３とを有する。
【００１０】
その使用に際しては、外筒１の先端に、操作の度毎に、新しい有孔針（ノズル）を装着し、ペーストをシリンジ内に充填して、手動にてプランジャー２基部のフランジ２１を押圧し、フランジ２１の先端部２２に装着されたガスケット３を容器内壁１１に沿って摺動せしめ、ガスケット３の前面と接するペーストが押圧されて、容器内のペーストが押し出され、先端のノズルから吐出して所定量のペーストを患部に注入する。
【００１１】
この発明は、係るシリンジ１０において、プランジャー２の押圧によってペーストの所定量を押し出したのちのガスケット３に自己吸引機能を持たせるため機構として、プランジャーの押圧によってガスケット３を摺動してペーストの所定量を押し出し吐出したのち、ガスケット３の前面を元の位置に戻して、容器内に残留するペーストの内圧を下げる機能をガスケット３に付与している。
【００１２】
このための機構としては、硬度が２０以上のゴム材からなるガスケット３の容器内のペーストと接する面、すなわち、ガスケット３の前面に窪み３１を設けている。このガスケット３の前面に窪み３１を設け、吐出に際してはこの窪み３１の凹面を平面状に突出させ、吐出後、この窪み３１を元に戻して、残留するペーストに吸引力を与えて内圧を低減させる。吐出後、この窪み３１を復元するためには、収納内容物のペーストの粘度に応じた弾性を有するものの選択が必要があり、硬度が２０以上のゴム材が望ましい。さらに、この窪み３１の容積は容器内のペーストの常圧での気泡の総容積より大きい方が好ましい。
このガスケット３には、プランジャー２の先端部２２を納めるための中空部３２が形成され、その中空部３２には、プランジャー２の先端部２２が、密着状態ではあるが、プランジャー２の圧力を受けて中空部３２の内壁面を摺動可能なように取り付けられている。そして、ガスケット３の中空部３２に収まったプランジャー２の先端部２２の頭部は、ガスケット３の先端窪み３１の底面と密着し、その底面を押し出すのに都合が良いように、円錐台状に形成されている。
さらに、プランジャー２の先端部材２２に取り付けられたガスケット３の後端面と、プランジャー２の先端面との間には、弾性を持つガスケット３の前面の窪み３１の凹面の変形によるガスケット３の中空部３２の相対長さの変動に対応できる間隔Ａが設けられている。
【００１３】
上記構成を有するシリンジ１０は、プランジャー２の押圧によるガスケット３の移動によって容器内のペーストを先端開口に取り付けられた有孔針（ノズル）から押し出す。
【００１４】
図２の（ａ）、（ｂ）、（ｃ）は、上記構造を有するシリンジ１０の内容物であるペーストの押出し時の作動状態を説明する図である。
【００１５】
図２（ａ）は、プランジャー２を作動する前の状態を示す。プランジャー２の先端部２２がガスケット３の中空部３２に収まり、ガスケット３の前面の窪み３１は凹の状態にある。
【００１６】
図２（ｂ）は、プランジャー２を押し込み容器内のペーストを押し出す状態を示す。その際には、矢印方向の力が加わり、プランジャー先端部２２がガスケット３の窪み３１を押し出して、ガスケット３の前面の窪み３１は凹面から平面もしくは凸の状態になる。プランジャー２の先端部２２の後面とガスケット３の内部後面との間には、減圧された空間Ｂが形成され、粘性ペーストＰがシリンジから押し出されている間はこの状態が維持されることになる。
【００１７】
図２（ｃ）は、プランジャー２を押圧して、シリンジ１０から所定量のペーストＰが押し出された後の状態を示す。プランジャー２への押圧力の付加が停止したとき、弾性材料からなるガスケット３の窪み３１が、プランジャー２の先端部２２の後面とガスケット３の内部後面との間に形成された減圧空間Ｂの吸引力とガスケット３の前面の窪み３１の復元力により、矢印に示す吸引力が作用し、その前面も元の凹面を有する窪み３１に戻り、プランジャー２の先端部２２がガスケット３の中空部３１に再び収まることになる。この際の窪み３１の形状が平面もしくは凸の状態から凹の状態へ変化することによって、シリンジ容器に吸引力が働くとともに、内容物の収納容積はその分増えることになる。これによるシリンジの内容積の増大によりペーストの内圧は下がり、内包される気泡の増大による粘性ペーストの滲み出しを防止することができる。
【００１８】
前記図１に示すシリンジ１０において、外筒１の内径が４〜１５ｍｍの容器内に４〜９５００００ｍＰａ・ｓのペーストを収納し、ガスケット３を硬さが２０〜８０のゴムによって作成し、０．４〜１．０ｍｍの有孔針を用いて、患部に繰り返し注入し、プランジャーを押す動作を止めた後でも、内容物の滲み出しは全くなかった。
【００１９】
【発明の効果】
本発明の歯科用シリンジは、ペーストの粘性を調整することなく、また、シリンジの基本的な構造を変えることなく、患者の患部にペーストを注入した後に、残留したペーストが有孔針から滲み出すことを完全に防止することができる。
【図面の簡単な説明】
【図１】この発明のシリンジを長さ方向軸に沿って切断した断面を示す。
【図２】この発明のシリンジの作動状態を示す図である。
【符号の説明】
１０　本発明のシリンジ
１　容器の外筒　　　１１　外筒の内壁面
２　プランジャー　　２１　プランジャーの押圧フランジ
２２　プランジャーの先端部
３　ガスケット　　　３１　ガスケットの前面の窪み
３２　プランジャー先端部収納中空部
Ａ　ガスケットの後端面とプランジャーの先端面との間の間隔
Ｂ　減圧された空間
Ｐ　　ペースト
【図１】
2004024768.tif 000003
【図２】
2004024768.tif 000004